(57)【要約】【課題】基礎構造体を土、液剤等による汚れから保護するのみならず、該基礎構造体を車両等からも効果的に保護することができる基礎構造体の養生手段を提供する。【解決手段】基礎構造体１における地上部５の上面５ａより上方に突出している鉄筋突出部７ａと該地上部の上面との間には空気を満たした可撓性の鉄筋突出部保護チューブ１１を配設し、該鉄筋突出部と該地上部とに養生カバー体１３を覆設し、該養生カバー体は相対向する一対の側壁部１３ａ、１３ｂと側壁部相互間の間隔を調節するための間隔調節手段１５を備えた天板部１３ｃとよりなり、該養生カバー体の上方には保護鉄板を配設し、又は該養生カバー体上には空気を満たした可撓性のクッションチューブ２５を介して養生マット体２７を跨設したことを特徴とする基礎構造体の養生手段。【選択図】図１
0003137862.tif 000002
【実用新案登録請求の範囲】
【請求項１】
基礎構造体における地上部の上面より上方に突出している鉄筋突出部と該地上部の上面との間には空気を満たした可撓性の鉄筋突出部保護チューブを配設し、該鉄筋突出部と該地上部とに養生カバー体を覆設し、該養生カバー体は相対向する一対の側壁部と側壁部相互間の間隔を調節するための間隔調節手段を備えた天板部とよりなり、該養生カバー体の上方には保護鉄板を配設したことを特徴とする基礎構造体の養生手段。
【請求項２】
基礎構造体における地上部の上面より上方に突出している鉄筋突出部と該地上部の上面との間には空気を満たした可撓性の鉄筋突出部保護チューブを配設し、該鉄筋突出部と該地上部とに養生カバー体を覆設し、該養生カバー体は相対向する一対の側壁部と側壁部相互間の間隔を調節するための間隔調節手段を備えた天板部とよりなり、該養生カバー体上には空気を満たした可撓性のクッションチューブを介して養生マット体を跨設したことを特徴とする基礎構造体の養生手段。
【考案の詳細な説明】
【技術分野】
【０００１】
本考案は、主として鉄骨構造の工場、店舗、体育館等の建築物における基礎構造体の養生手段（養生装置）に関するものであり、更に詳しくは、建築物を施工する際に連続基礎等の基礎構造体を該基礎構造体上を移動する車両等による損傷と土、液剤等による汚れとから保護するための基礎構造体の養生手段に係るものである。
【背景技術】
【０００２】
地盤に基礎構造体を構築する工事において、基礎構造体の下部に土を埋め戻した後に地上に突出している基礎構造体の地上部上をダンプカー、トラック等の車両が走行することがある。このような場合、特に基礎構造体における地上部の上面より鉄筋が上方に突出しているときには、該車両によりこの鉄筋突出部を含む基礎構造体が損傷するおそれがある。また、土、薬液等により基礎構造体が汚れるおそれもある。
【０００３】
特開２００３−１０５７７６号公報は、基礎構造体の地上部を保護する帯状フィルムの養生シート（以下「従来の養生シート」という。）を開示している。
【特許文献１】特開２００３−１０５７７６号公報
【考案の開示】
【考案が解決しようとする課題】
【０００４】
従来の養生シートは、基礎構造体を土、液剤等による汚れから保護することができるものの、該基礎構造体を車両等から保護することができない。
【０００５】
本考案は、基礎構造体を土、液剤等による汚れから保護するのみならず、該基礎構造体を車両等からも効果的に保護することができる基礎構造体の養生手段を提供しようとしてなされたものである。
【課題を解決するための手段】
【０００６】
上記課題を解決するために、本考案は、下記の基礎構造体の養生手段を提供する。
【０００７】
（１）基礎構造体における地上部の上面より上方に突出している鉄筋突出部と該地上部の上面との間には空気を満たした可撓性の鉄筋突出部保護チューブを配設し、該鉄筋突出部と該地上部とに養生カバー体を覆設し、該養生カバー体は相対向する一対の側壁部と側壁部相互間の間隔を調節するための間隔調節手段を備えた天板部とよりなり、該養生カバー体の上方には保護鉄板を配設したことを特徴とする基礎構造体の養生手段（請求項１）。
【０００８】
（２）基礎構造体における地上部の上面より上方に突出している鉄筋突出部と該地上部の上面との間には空気を満たした可撓性の鉄筋突出部保護チューブを配設し、該鉄筋突出部と該地上部とに養生カバー体を覆設し、該養生カバー体は相対向する一対の側壁部と側壁部相互間の間隔を調節するための間隔調節手段を備えた天板部とよりなり、該養生カバー体上には空気を満たした可撓性のクッションチューブを介して養生マット体を跨設したことを特徴とする基礎構造体の養生手段（請求項２）。
【考案の効果】
【０００９】
［請求項１の考案］
基礎構造体における地上部の上面より上方に突出している鉄筋突出部と該地上部の上面との間には空気を満たした可撓性の鉄筋突出部保護チューブが配設されているため、保護鉄板上を走行する車両等の荷重ないし衝撃が養生カバー体を介して該鉄筋突出部に伝えられたときでも、該荷重ないし衝撃は該鉄筋突出部保護チューブにより受け止められる。したがって、該鉄筋突出部を含む基礎構造体が損傷することはない。また、該鉄筋突出部と該地上部とに養生カバー体を覆設しているため、基礎構造体が土、液剤等による汚れから保護されると共に、鉄筋突出部保護チューブのつぶれも防止される。養生カバー体は相対向する一対の側壁部と側壁部相互間の間隔を調節するための間隔調節手段を備えた天板部とよりなるものであるため、該養生カバーは、基礎構造体における地上部の幅の如何にかかわらず、該地上部に覆設することができる。なお、基礎構造体の養生後、該鉄筋突出部保護チューブは、空気を抜くことにより、容易に取り外すことができる。
【００１０】
［請求項２の考案］
養生カバー体上には空気を満たした可撓性のクッションチューブを介して養生マット体を跨設しているため、該養生マット体上を車両等が走行したときでも、その荷重ないし衝撃は該養生マット体により支承され、あるいは該クッションチューブにより吸収される。したがって、該鉄筋突出部を含む基礎構造体が損傷することはない。その他の点においては、請求項２の考案は前記請求項１の考案と同様の効果を発揮する。
【考案を実施するための最良の形態】
【００１１】
符号１に示すものは、地盤３に構築された基礎構造体である。符号５に示すものは、基礎構造体１の下部に土を埋め戻した後に地上に突出している基礎構造体１の地上部である。
【００１２】
基礎構造体１の構築工事の一時期においては、地上部５の上面５ａより鉄筋７の一部たる鉄筋突出部７ａが略逆Ｕ字状に上方に突出している。符号９に示すものは水平方向に配設された鉄筋である。
【００１３】
基礎構造体１における地上部５の上面５ａより上方に突出している鉄筋突出部７ａと該地上部５の上面５ａとの間には空気を満たした可撓性の鉄筋突出部保護チューブ１１を配設する。
【００１４】
鉄筋突出部保護チューブ１１は、好ましくは、ゴムにより中空状に形成し、内部に空気を充填する。
【００１５】
図示の事例においては、鉄筋突出部保護チューブ１１は鉄筋突出部７ａと地上部５の上面５ａとの間に２本配設されているが、鉄筋突出部保護チューブ１１の使用数は２本に限定されるものではない。
【００１６】
鉄筋突出部７ａと地上部５とに養生カバー体１３を覆設する。
【００１７】
養生カバー体１３は、相対向する一対の側壁部１３ａ、１３ｂと、側壁部１３ａ、１３ｂ相互間の間隔を調節するための間隔調節手段１５を備えた天板部１３ｃとよりなる。
【００１８】
間隔調節手段１５は、一例として図２に示すように、側壁部１３ａと天板構成部１３ｃ’とよりなる養生カバー体構成部１７ａと、側壁部１３ｂと天板構成部１３ｃ”とよりなる養生カバー体構成部１７ｂとをそれぞれ別体に形成し、天板構成部１３ｃ’と天板構成部１３ｃ”との対向縁にそれぞれ溝１９ａ、１９ｂを形成し、該溝１９ａ、１９ｂに調節板２１を摺嵌し、以て養生カバー体構成部１７ａ、１７ｂを相互間の間隔を調節する方向に移動自在としてなるものである。養生カバー体１３の各構成部材は、一例として、硬質ゴムにより形成する。
【００１９】
図３に示す事例においては、養生カバー体１３の上方に、保護鉄板２３を配設している。保護鉄板２３は、車両等の重量が養生カバー体１３に直接かからないように、適宜の支承手段（図示せず。）により養生カバー体１３の上方に支承させる。
【００２０】
図１に示す事例においては、養生カバー体１３上には空気を満たした可撓性のクッションチューブ２５を介して養生マット体２７を跨設している。
【００２１】
クッションチューブ２５は、好ましくは、ゴムにより中空状に形成し、内部に空気を充填する。
【００２２】
養生マット体２７は、一例として、一対の側壁部２７ａ、２７ｂと天板部２７ｃとを硬質ゴムにより一体的に形成してなるものとする。
【００２３】
養生マット体２７は、車両等の重量がクッションチューブ２５に直接かからないように、適宜の支承手段２９により支承させる。
【００２４】
図１に示す事例においては、支承手段２９としてゴム製の支承マットを使用し、該支承マット上に養生マット体２７の側壁部２７ａ、２７ｂを載置している。
【００２５】
なお、所定の養生期間の経過後、基礎構造体の養生手段を除去すると共に、適宜、土間砕石地業、スラブ配筋、コンクリート打設等を行う。
【図面の簡単な説明】
【００２６】
【図１】本考案による基礎構造体の養生手段の一例を示す断面図である。
【図２】養生カバー体の一例を示す側面図である。
【図３】本考案による基礎構造体の養生手段の別の一例を示す断面図である。
【符号の説明】
【００２７】
１  基礎構造体
３  地盤
５  地上部
５ａ  上面
７  鉄筋
７ａ  鉄筋突出部
９  鉄筋
１１  鉄筋突出部保護チューブ
１３  養生カバー体
１３ａ  側壁部
１３ｂ  側壁部
１３ｃ  天板部
１３ｃ’  天板構成部
１３ｃ”  天板構成部
１５  間隔調節手段
１７ａ  養生カバー体構成部
１７ｂ  養生カバー体構成部
１９ａ  溝
１９ｂ  溝
２１  調節板
２３  保護鉄板
２５  クッションチューブ
２７  養生マット体
２７ａ  側壁部
２７ｂ  側壁部
２７ｃ  天板部
２９  支承手段
【図１】
0003137862.tif 000003
【図２】
0003137862.tif 000004
【図３】
0003137862.tif 000005
【手続補正書】
【提出日】平成19年10月3日(2007.10.3)
【手続補正１】
【補正対象書類名】実用新案登録請求の範囲
【補正対象項目名】全文
【補正方法】変更
【補正の内容】
【実用新案登録請求の範囲】
【請求項１】
基礎構造体における地上部の上面より上方に突出している鉄筋突出部と該地上部の上面との間には空気を満たした可撓性の鉄筋突出部保護チューブを配設し、該鉄筋突出部と該地上部とに養生カバー体を覆設し、該養生カバー体は相対向する一対の側壁部と側壁部相互間の間隔を調節するための間隔調節手段を備えた天板部とよりなり、該養生カバー体の上方には保護鉄板を配設したことを特徴とする基礎構造体の養生装置。
【請求項２】
基礎構造体における地上部の上面より上方に突出している鉄筋突出部と該地上部の上面との間には空気を満たした可撓性の鉄筋突出部保護チューブを配設し、該鉄筋突出部と該地上部とに養生カバー体を覆設し、該養生カバー体は相対向する一対の側壁部と側壁部相互間の間隔を調節するための間隔調節手段を備えた天板部とよりなり、該養生カバー体上には空気を満たした可撓性のクッションチューブを介して養生マット体を跨設したことを特徴とする基礎構造体の養生装置。
【手続補正２】
【補正対象書類名】明細書
【補正対象項目名】全文
【補正方法】変更
【補正の内容】
【考案の詳細な説明】
【技術分野】
【０００１】
本考案は、主として鉄骨構造の工場、店舗、体育館等の建築物における基礎構造体の養生装置に関するものであり、更に詳しくは、建築物を施工する際に連続基礎等の基礎構造体を該基礎構造体上を移動する車両等による損傷と土、液剤等による汚れとから保護するための基礎構造体の養生装置に係るものである。
【背景技術】
【０００２】
地盤に基礎構造体を構築する工事において、基礎構造体の下部に土を埋め戻した後に地上に突出している基礎構造体の地上部上をダンプカー、トラック等の車両が走行することがある。このような場合、特に基礎構造体における地上部の上面より鉄筋が上方に突出しているときには、該車両によりこの鉄筋突出部を含む基礎構造体が損傷するおそれがある。また、土、薬液等により基礎構造体が汚れるおそれもある。
【０００３】
特開２００３−１０５７７６号公報は、基礎構造体の地上部を保護する帯状フィルムの養生シート（以下「従来の養生シート」という。）を開示している。
【特許文献１】特開２００３−１０５７７６号公報
【考案の開示】
【考案が解決しようとする課題】
【０００４】
従来の養生シートは、基礎構造体を土、液剤等による汚れから保護することができるものの、該基礎構造体を車両等から保護することができない。
【０００５】
本考案は、基礎構造体を土、液剤等による汚れから保護するのみならず、該基礎構造体を車両等からも効果的に保護することができる基礎構造体の養生装置を提供しようとしてなされたものである。
【課題を解決するための手段】
【０００６】
上記課題を解決するために、本考案は、下記の基礎構造体の養生装置を提供する。
【０００７】
（１）基礎構造体における地上部の上面より上方に突出している鉄筋突出部と該地上部の上面との間には空気を満たした可撓性の鉄筋突出部保護チューブを配設し、該鉄筋突出部と該地上部とに養生カバー体を覆設し、該養生カバー体は相対向する一対の側壁部と側壁部相互間の間隔を調節するための間隔調節手段を備えた天板部とよりなり、該養生カバー体の上方には保護鉄板を配設したことを特徴とする基礎構造体の養生装置（請求項１）。
【０００８】
（２）基礎構造体における地上部の上面より上方に突出している鉄筋突出部と該地上部の上面との間には空気を満たした可撓性の鉄筋突出部保護チューブを配設し、該鉄筋突出部と該地上部とに養生カバー体を覆設し、該養生カバー体は相対向する一対の側壁部と側壁部相互間の間隔を調節するための間隔調節手段を備えた天板部とよりなり、該養生カバー体上には空気を満たした可撓性のクッションチューブを介して養生マット体を跨設したことを特徴とする基礎構造体の養生装置（請求項２）。
【考案の効果】
【０００９】
［請求項１の考案］
基礎構造体における地上部の上面より上方に突出している鉄筋突出部と該地上部の上面との間には空気を満たした可撓性の鉄筋突出部保護チューブが配設されているため、保護鉄板上を走行する車両等の荷重ないし衝撃が養生カバー体を介して該鉄筋突出部に伝えられたときでも、該荷重ないし衝撃は該鉄筋突出部保護チューブにより受け止められる。したがって、該鉄筋突出部を含む基礎構造体が損傷することはない。また、該鉄筋突出部と該地上部とに養生カバー体を覆設しているため、基礎構造体が土、液剤等による汚れから保護されると共に、鉄筋突出部保護チューブのつぶれも防止される。養生カバー体は相対向する一対の側壁部と側壁部相互間の間隔を調節するための間隔調節手段を備えた天板部とよりなるものであるため、該養生カバーは、基礎構造体における地上部の幅の如何にかかわらず、該地上部に覆設することができる。なお、基礎構造体の養生後、該鉄筋突出部保護チューブは、空気を抜くことにより、容易に取り外すことができる。
【００１０】
［請求項２の考案］
養生カバー体上には空気を満たした可撓性のクッションチューブを介して養生マット体を跨設しているため、該養生マット体上を車両等が走行したときでも、その荷重ないし衝撃は該養生マット体により支承され、あるいは該クッションチューブにより吸収される。したがって、該鉄筋突出部を含む基礎構造体が損傷することはない。その他の点においては、請求項２の考案は前記請求項１の考案と同様の効果を発揮する。
【考案を実施するための最良の形態】
【００１１】
符号１に示すものは、地盤３に構築された基礎構造体である。符号５に示すものは、基礎構造体１の下部に土を埋め戻した後に地上に突出している基礎構造体１の地上部である。
【００１２】
基礎構造体１の構築工事の一時期においては、地上部５の上面５ａより鉄筋７の一部たる鉄筋突出部７ａが略逆Ｕ字状に上方に突出している。符号９に示すものは水平方向に配設された鉄筋である。
【００１３】
基礎構造体１における地上部５の上面５ａより上方に突出している鉄筋突出部７ａと該地上部５の上面５ａとの間には空気を満たした可撓性の鉄筋突出部保護チューブ１１を配設する。
【００１４】
鉄筋突出部保護チューブ１１は、好ましくは、ゴムにより中空状に形成し、内部に空気を充填する。
【００１５】
図示の事例においては、鉄筋突出部保護チューブ１１は鉄筋突出部７ａと地上部５の上面５ａとの間に２本配設されているが、鉄筋突出部保護チューブ１１の使用数は２本に限定されるものではない。
【００１６】
鉄筋突出部７ａと地上部５とに養生カバー体１３を覆設する。
【００１７】
養生カバー体１３は、相対向する一対の側壁部１３ａ、１３ｂと、側壁部１３ａ、１３ｂ相互間の間隔を調節するための間隔調節手段１５を備えた天板部１３ｃとよりなる。
【００１８】
間隔調節手段１５は、一例として図２に示すように、側壁部１３ａと天板構成部１３ｃ’とよりなる養生カバー体構成部１７ａと、側壁部１３ｂと天板構成部１３ｃ”とよりなる養生カバー体構成部１７ｂとをそれぞれ別体に形成し、天板構成部１３ｃ’と天板構成部１３ｃ”との対向縁にそれぞれ溝１９ａ、１９ｂを形成し、該溝１９ａ、１９ｂに調節板２１を摺嵌し、以て養生カバー体構成部１７ａ、１７ｂを相互間の間隔を調節する方向に移動自在としてなるものである。養生カバー体１３の各構成部材は、一例として、硬質ゴムにより形成する。
【００１９】
図３に示す事例においては、養生カバー体１３の上方に、保護鉄板２３を配設している。保護鉄板２３は、車両等の重量が養生カバー体１３に直接かからないように、適宜の支承手段（図示せず。）により養生カバー体１３の上方に支承させる。
【００２０】
図１に示す事例においては、養生カバー体１３上には空気を満たした可撓性のクッションチューブ２５を介して養生マット体２７を跨設している。
【００２１】
クッションチューブ２５は、好ましくは、ゴムにより中空状に形成し、内部に空気を充填する。
【００２２】
養生マット体２７は、一例として、一対の側壁部２７ａ、２７ｂと天板部２７ｃとを硬質ゴムにより一体的に形成してなるものとする。
【００２３】
養生マット体２７は、車両等の重量がクッションチューブ２５に直接かからないように、適宜の支承手段２９により支承させる。
【００２４】
図１に示す事例においては、支承手段２９としてゴム製の支承マットを使用し、該支承マット上に養生マット体２７の側壁部２７ａ、２７ｂを載置している。
【００２５】
なお、所定の養生期間の経過後、基礎構造体の養生装置を除去すると共に、適宜、土間砕石地業、スラブ配筋、コンクリート打設等を行う。
【図面の簡単な説明】
【００２６】
【図１】本考案による基礎構造体の養生装置の一例を示す断面図である。
【図２】養生カバー体の一例を示す側面図である。
【図３】本考案による基礎構造体の養生装置の別の一例を示す断面図である。
【符号の説明】
【００２７】
１  基礎構造体
３  地盤
５  地上部
５ａ  上面
７  鉄筋
７ａ  鉄筋突出部
９  鉄筋
１１  鉄筋突出部保護チューブ
１３  養生カバー体
１３ａ  側壁部
１３ｂ  側壁部
１３ｃ  天板部
１３ｃ’  天板構成部
１３ｃ”  天板構成部
１５  間隔調節手段
１７ａ  養生カバー体構成部
１７ｂ  養生カバー体構成部
１９ａ  溝
１９ｂ  溝
２１  調節板
２３  保護鉄板
２５  クッションチューブ
２７  養生マット体
２７ａ  側壁部
２７ｂ  側壁部
２７ｃ  天板部
２９  支承手段